(57)【要約】【課題】下肢全体の鍛練ができるとともに、足裏の形状に対応して足裏を好適にマッサージすることができる足踏み式足裏マッサージ器を提供する。【解決手段】下踏み台部１２と段部を介して形成された上踏み台部１３を有する足踏み台１１と、前記足踏み台１１の下踏み台部１２上に形成された多数の突起部３０を備えた足裏刺激部２０とを有することを特徴とする。前記足裏刺激部２０の突起部３０は、該突起部３０の下部に配設された弾性部材によって足裏面の荷重によって押し下げられるように構成されている。【選択図】図１
2006014821.tif 000002
【特許請求の範囲】
【請求項１】
下踏み台部と段部を介して形成された上踏み台部を有する足踏み台と、
前記足踏み台の下踏み台部上に形成された多数の突起部を備えた足裏刺激部
とを有することを特徴とする足踏み式足裏マッサージ器。
【請求項２】
前記足裏刺激部の突起部が該突起部の下部に配設された弾性部材によって足裏面の荷重によって押し下げられるように構成されている請求項１に記載の足踏み式足裏マッサージ器。
【請求項３】
前記弾性部材が各突起部に対応して配置されたバネ部材である請求項２に記載の足踏み式足裏マッサージ器。
【請求項４】
前記弾性部材が突起部の裏面に配置された面状変形体である請求項２に記載の足踏み式足裏マッサージ器。
【発明の詳細な説明】
【技術分野】
【０００１】
この発明は、足裏マッサージ器に関し、特には、足踏み運動を行いながら足裏をマッサージすることができる足踏み式足裏マッサージ器に関する。
【背景技術】
【０００２】
従来の足裏マッサージ器としては、例えば、左右の足裏形状のシートの表面に、足裏の各施療ツボに対応するように突起を設けたものがある。これは、使用者が前記シートに対し、その足裏形状に合うように自分の足裏を押し当てると前記シートに設けられた突起によって足裏が刺激されマッサージ効果が得られるものである。
【０００３】
従来の足裏マッサージ器は、前述のように足裏形状のシートから構成されているため、使用者が足裏を刺激したいときは、シートの形状に合わせて自分の足を置かなければ土踏まず等の所望の位置を刺激することができなかった。また、足裏は人によって形状が異なるため、使用者の足裏形状とシートの足裏形状が一致しない場合もあり、足裏を好適に刺激することができないという問題もあった。
【０００４】
そこで、シートの形状に合わせて足を置くのではなく、任意の位置に足を置いても足裏をマッサージできる足裏マッサージ器が提案されている（例えば、特許文献１参照）。この足裏マッサージ器は、多数の穴を形成したガイド板に座付突起を嵌入して立設させ、発泡スチロールの弾性基板に座付突起の底面が密着するように合わせてガイド板と弾性基板とをバンドで締め、全体をファスナー付き袋状布で覆い該ファスナーを閉めて成る足裏マッサージキッチンマットである。しかしながら、このような足裏マッサージ器は、足を載せた際にマット全体が沈んでしまい、足裏形状に対応して足裏を満遍なく刺激できるものではなかった。
【０００５】
ところで、一般的に体によいとされる運動として、足踏み運動がある。この足踏み運動は、有酸素運動であるとともに、下肢に適度な運動を行わせ、もって下肢全体の鍛練ができるため効果的である。そこで本発明者は、下踏み台部と段部を介して形成された上踏み台部とを有する足踏み台を設け、その下踏み台部上に多数の突起部を備えた足裏刺激部を設けることにより、下踏み台部と上踏み台部との間を足踏み運動しながら足裏を刺激することができる足踏み式足裏マッサージ器を見出した。
【特許文献１】特開平１１−１６９４２５号公報
【発明の開示】
【発明が解決しようとする課題】
【０００６】
この発明は、前記の点に鑑みなされたもので、下肢全体の鍛練ができるとともに、足裏の形状に対応して足裏を好適にマッサージすることができる足踏み式足裏マッサージ器を提供することを目的とする。
【課題を解決するための手段】
【０００７】
すなわち、請求項１の発明は、下踏み台部と段部を介して形成された上踏み台部を有する足踏み台と、前記足踏み台の下踏み台部上に形成された多数の突起部を備えた足裏刺激部とを有することを特徴とする足踏み式足裏マッサージ器に係る。
【０００８】
また、請求項２の発明は、前記足裏刺激部の突起部が該突起部の下部に配設された弾性部材によって足裏面の荷重によって押し下げられるように構成されている請求項１に記載の足踏み式足裏マッサージ器に係る。
【０００９】
請求項３の発明は、前記弾性部材が各突起部に対応して配置されたバネ部材である請求項２に記載の足踏み式足裏マッサージ器に係る。
【００１０】
請求項４の発明は、前記弾性部材が突起部の裏面に配置された面状変形体である請求項２に記載の足踏み式足裏マッサージ器に係る。
【発明の効果】
【００１１】
この発明の足踏み式足裏マッサージ器によれば、下踏み台部と段部を介して形成された上踏み台部を有する足踏み台と、前記足踏み台の下踏み台部上に形成された多数の突起部を備えた足裏刺激部とを有するものであるから、上踏み台部と、下踏み台部上の足裏刺激部との間を足踏み運動することにより、下肢全体を鍛えることができるとともに足裏を好適にマッサージすることができる。
【００１２】
また、請求項２の発明によれば、請求項１の発明において、前記足裏刺激部の突起部が該突起部の下部に配設された弾性部材によって足裏面の荷重によって押し下げられるように構成されているので、突起部が足裏の形状に対応して押し下げられるとともに弾性部材の弾性力によって足裏を押圧するため、足裏を好適にマッサージすることができる。
【００１３】
請求項３の発明によれば、請求項２の発明において、前記弾性部材が各突起部に対応して配置されたバネ部材であることにより、足裏面の荷重が加わったときに各突起部毎に押し下げられる構成となり、足裏の形状によりいっそう対応したマッサージが可能となる。
【００１４】
請求項４の発明によれば、請求項２の発明において、前記弾性部材が突起部の裏面に配置された面状変形体であるので、該面状変形体の弾性力によって足裏を好適にマッサージできるだけでなく、突起部及び弾性部材を簡単かつ容易に成形することができる。
【発明を実施するための最良の形態】
【００１５】
以下添付の図面に従って本発明を詳細に説明する。図１は本発明の一実施例に係る足踏み式足裏マッサージ器の斜視図、図２は図１の足裏刺激部の拡大断面図、図３は図１の足裏マッサージ器の足裏刺激部に足を置いた状態を示す足裏刺激部の断面図、図４は足踏み式足裏マッサージ器の他の実施例を示す斜視図、図５は図４の足裏刺激部の拡大側面図、図６は図４の足裏マッサージ器の足裏刺激部に足を置いた状態を示す足裏刺激部の断面図である。
【００１６】
図１に示したように、請求項１の発明に係る足踏み式足裏マッサージ器１０は、下踏み台部１２と段部を介して形成された上踏み台部１３を有する足踏み台１１と、前記足踏み台１１の下踏み台部１２上に形成された多数の突起部３０を備えた足裏刺激部２０とを有する。この足踏み式足裏マッサージ器１０は、階段状の足踏み台１１の下踏み台部１２及び上踏み台部１３を足踏み運動することにより下肢を鍛えることができると同時に足裏をマッサージできるものであって、下踏み台部１２へと足を移動させたときに該下踏み台部１２上の足裏刺激部２０の多数の突起部３０により足裏が刺激されるように構成されている。図において符合２１は後述する上板、２２は基板、２３は下板である。
【００１７】
前記足踏み台１１は、下踏み台部１２と段部を介して形成された上踏み台部１３を有する。この足踏み台１１は、実施例では、木製よりなり、下踏み台部１２と上踏み台部１３は一体的に形成されている。上踏み台部１３は、この例では、図示のとおり、両足を載せることができる面積を有するブロック状物が積層されて成り、該ブロック状物の数を変更することにより高さを調節できるようになっている。
【００１８】
前記下踏み台部１２は、実施例では両足を載せることができる面積を有しており、その上には足裏刺激部２０が形成されている。前記足裏刺激部２０は、図示のとおり、この例では、下踏み台部１２と接触する面が該下踏み台部１２とほぼ等しい面積を有する略直方体形状の部材であり、下踏み台部１２上に着脱自在に装着されている。そして、この足裏刺激部２０は、足裏が置かれる面に円筒形状の多数の突起部３０を備えている。
【００１９】
図２に足裏刺激部２０の部分断面図を示す。この例の足裏刺激部２０は、足が置かれる上板２１と、比較的厚みのある基板２２と、下踏み台部１２に直接接触する下板２３とを有し順次積層されている。前記上板２１及び基板２２には略円形状の穴部２１ａ，２２ａが形成され、上板２１の穴部２１ａの直径が基板２２の穴部２２ａの直径よりも小さくなるように形成されている。これらの穴部２１ａ，２２ａに収容されている突起部３０は、外部に突出した先端部３３と、外部から見えないように収容された胴体部３４とからなる。前記突起部３０は、請求項２の発明として規定したように、該突起部３０の下部３１に配設された弾性部材によって足裏面の荷重によって押し下げられるように構成されている。この例では、請求項３の発明として規定したように、前記弾性部材は各突起部３０に対応して配置されたバネ部材４０である。前記バネ部材４０は、実施例では圧縮コイルバネが使用され、通常時は上板２１側に付勢されており、足裏面の荷重が加わると圧縮するようになっている。この例の突起部３０の高さは４５ｍｍ、その先端部３３の直径は１０ｍｍ、隣接する突起部３０との距離（突起部の中心間の距離）は２０ｍｍ、バネ部材４０の無荷重時の高さは２０ｍｍ、足裏刺激部２０の上板２１，基板２２，下板２３の高さは４０〜５０ｍｍ、上板２１の穴部２１ａの直径は１１．５ｍｍである。図の符合２６は、前記突起部が抜け出さないように係止する上板２１の裏面に形成された係止部である。
【００２０】
ここで、足裏刺激部２０に足５０を置いた状態を図３に示す。図示のとおり、足裏刺激部２０の突起部３０は、該突起部３０に対応してバネ部材４０が配置されているので、従来品であるマット式の足裏マッサージ器のように足を載せた際にマット全体が沈むことなく、各々の突起部３０が足裏形状に対応して押し下げられている。例えば、かかとに対応する位置の突起部３０は深く押し下げられ、土踏まずに対応する位置の突起部３０は浅く押し下げられる等、各々、足裏形状に対応した深さだけ押し下げられている。押し下げられた各々の突起部３０は、前述のとおり各突起部３０に対応してバネ部材４０が配置されているので、該バネ部材４０の弾性力によって上板２１側、すなわち足裏方向へと押し上げられる。その結果、足裏が押圧され好適にマッサージされるのである。また、突起部３０及びその下部のバネ部材４０はどれも同じ構成であるため、突起部３０が形成されているどの位置に足を置いても、足裏はその形状に対応して満遍なく刺激され、好適にマッサージされる。
【００２１】
上記のように構成された足踏み式マッサージ器１０において、上踏み台部１３と、下踏み台部１２上の足裏刺激部２０との間を足踏み運動することにより、下肢全体を鍛えることができるとともに足裏を好適にマッサージすることができるのである。特に、足裏刺激部２０を下踏み台部１２上に設けたことにより、足裏刺激部２０に足を置いたときの該足裏刺激部２０に対する荷重が大きくなり、足裏への刺激がよりいっそう大きくなり、効果的なマッサージが可能となる。
【００２２】
この足踏み式足裏マッサージ器１０は、弾性部材であるバネ部材４０の強度を変更することによって、足裏への刺激の強さを調節することが可能である。単一の足裏刺激部２０において全てのバネ部材４０を統一して異なる強度のバネ部材４０に変更することも可能であり、単一の足裏刺激部２０において異なる強度のバネ部材４０を混合して設けてもよい。
【００２３】
次に、足踏み式足裏マッサージ器の他の実施例を図４に示す。この足裏マッサージ器１０Ａは、前述の実施例とは足裏刺激部の構成が異なり、請求項４の発明として規定したように、弾性部材が突起部３０Ａの裏面に配置された面状変形体４０Ａである。この足裏刺激部３０Ａは、実施例では、図５の拡大側面図に図示したように、突起部３０Ａとマット２４とが一体的に成形されており、突起部３０Ａの裏面３２、すなわちマット２４の裏面に繊毛状の面状変形体４０Ａが配置されている。この面状変形体４０Ａも、突起部３０Ａ及びマット２４とともに一体的に成形されている。突起部３０Ａ、マット２４及び面状変形体４０Ａは、この例では軟質ポリプロピレン系樹脂により構成されており、適度な柔軟性を有する。この例の突起部３０Ａの高さは６〜７ｍｍ、直径は６〜７ｍｍ、面状変形体４０Ａの高さは１０ｍｍである。図４において、符合２５は足裏刺激部支持台であり、使用中に足裏刺激部２０Ａが足踏み台１１の下踏み台部１２から外れるのを防止するためのものである。その他、図４において図１と同一の符合は同一の構成からなる。
【００２４】
図６に、図４の足裏刺激部２０Ａに足５０を置いた状態を示す。図示のとおり足裏刺激部２０Ａの突起部３０Ａは、該突起部３０Ａと一体的に成形されたマット２４が適度な柔軟性を有しているので、従来品のように足を載せた際にマット全体が沈むことなく、各々の突起部３０Ａが足裏形状に対応して押し下げられる。例えば、かかとに対応する位置の突起部３０Ａは深く押し下げられ、土踏まずに対応する位置の突起部３０Ａは浅く押し下げられる等、各々、足裏形状に対応した深さだけ押し下げられている。押し下げられた各々の突起部３０Ａは、前述のとおり各突起部３０Ａの裏面３２に面状変形体４０Ａが配置されているので、該面状変形体４０Ａの弾性力によって足裏方向へと押し上げられる。その結果、足裏が押圧され好適にマッサージされるのである。また、突起部３０Ａ及びその裏面３２の面状変形体４０Ａはどこも同じ構成であるため、突起部３０Ａが形成されているどの位置に足を置いても、足裏はその形状に対応して満遍なく刺激され、好適にマッサージされる。
【００２５】
この足踏み式足裏マッサージ器１０Ａの足裏刺激部２０Ａは、下踏み台部１２上に着脱自在に装着されているので、前出の弾性部材としてバネ部材４０を使用した足裏マッサージ器１０の足裏刺激部２０と適宜交換して使用することができる。また、実施例では、この足裏マッサージ器１０Ａの面状変形体４０Ａを繊毛状部材としたが、これに限られるものではなく、例えば、格子状リブ部材としてもよい。さらに、この足裏マッサージ器１０Ａの足裏刺激部２０Ａは、足踏み台１１より取り外して複数体を連結させることにより、玄関マット、バスマット等の各種のマットとして使用することもできる。
【図面の簡単な説明】
【００２６】
【図１】本発明の一実施例に係る足踏み式足裏マッサージ器の斜視図である。
【図２】図１の足裏刺激部の拡大断面図である。
【図３】図１の足裏マッサージ器の足裏刺激部に足を置いた状態を示す足裏刺激部の断面図である。
【図４】足踏み式足裏マッサージ器の他の実施例を示す斜視図である。
【図５】図４の足裏刺激部の拡大側面図である。
【図６】図４の足裏マッサージ器の足裏刺激部に足を置いた状態を示す足裏刺激部の断面図である。
【符号の説明】
【００２７】
１０，１０Ａ    足踏み式足裏マッサージ器
１１    足踏み台
１２    下踏み台部
１３    上踏み台部
２０，２０Ａ    足裏刺激部
３０，３０Ａ    突起部
３１    （突起部の）下部
３２    （突起部の）裏面
４０    バネ部材
４０Ａ    面状変形体
５１    足裏面
【図１】
2006014821.tif 000003
【図２】
2006014821.tif 000004
【図３】
2006014821.tif 000005
【図４】
2006014821.tif 000006
【図５】
2006014821.tif 000007
【図６】
2006014821.tif 000008